(57)【要約】【課題】充分な挟着力が得られるとともに、長い期間の使用に耐えられる装身具の挟着構造を提供しようとするものである。【解決手段】一方の主装飾体と他方の挟着部材とに一対の取付脚部と取付基部とを形成するとともに、前記一対の取付脚部と取付基部との間に３枚以上の金属板材を介装してこれらを軸着するとともに、前記金属板材とともに該軸部を加締めてなる装身具の挟着構造であって、当該加締めの際に前記取付脚部と取付基部とに接する前記３枚以上の金属板材の両側のものは前記取付脚部と取付基部に強固に係合しており、また中間の金属板材はフリーの状態であって両側の金属板材とバネ性をもって押し合うように接合しており、一方の主装飾体と他方の挟着部材とにそれぞれ形成された取付脚部と取付基部とが相対的に回動する際、前記各金属板材の接合面に負荷がかかるようにしたことを特徴とする装身具の挟着構造。【選択図】 図４
2017121382.tif 000002
【特許請求の範囲】
【請求項１】
一方の主装飾体と他方の挟着部材とに一対の取付脚部と取付基部とを形成するとともに、前記一対の取付脚部と取付基部との間に３枚以上の金属板材を介装してこれらを軸着するとともに、前記金属板材とともに該軸部を加締めてなる装身具の挟着構造であって、当該加締めの際に前記取付脚部と取付基部とに接する前記３枚以上の金属板材の両側のものは前記取付脚部と取付基部に強固に係合しており、また中間の金属板材はフリーの状態であって両側の金属板材とバネ性をもって押し合うように接合しており、一方の主装飾体と他方の挟着部材とにそれぞれ形成された取付脚部と取付基部とが相対的に回動する際、前記各金属板材の接合面に負荷がかかるようにしたことを特徴とする装身具の挟着構造。
【請求項２】
前記金属板材は、前記軸部を加締める際に変形する力を受け、したがって前記各金属板材の接合面は不均一な係合部分を備えており、接合時に力が分散されて前記バネ性が長持ちするようにしたことを特徴とする請求項１記載の装身具の挟着構造。
【請求項３】
前記金属板材は、その厚さを０．０５〜０．２５ｍｍの範囲のものとしたことを特徴とする請求項１または２記載の装身具の挟着構造。
【発明の詳細な説明】
【技術分野】
【０００１】
この発明はイヤリングや指輪、ブレスレット等に適用される装身具の挟着構造に関するものである。
【背景技術】
【０００２】
本発明者は、従来から新規な装身具の挟着構造を提案してきた。
先ず第1に、特開平１０−２７６８１０号公報（特許文献１参照）において、図７に示すように一対の取付脚部２２，２３を備えた主装飾体２１と、一対の取付脚部２２，２３間に納まる取付基部２５が形成された挟着部材２４とを備え、取付脚部２２，２３と取付基部２５との間にワッシャ２６を介在させた上、これらをピン２７によって貫通させ、かつ当該部位を加締めることによって両者を閉じた際に挟着力を付与するイヤリングを提案した。
【０００３】
上述のワッシャ状の板材を介在させたイヤリングにおいては、耳たぶに対しては両者の摩擦によってそれ程大きな挟着力を発揮せずに装着することができ、またこの両者の開閉を繰り返すことによって接触し合う取付脚部と取付基部とが接触摩擦により摩耗したり変形することもある程度防ぐことができるものの、使用中に挟着力が低下しやすいという問題はいまだ残されたままである。
【０００４】
そこで本発明者は、実用新案登録第３１３０９９３号公報（特許文献２）において、図８に示すように一方の主装飾体３１と他方の挟着部材３４とに一対の取付脚部３２，３３と取付基部３５とを形成するとともに、前記一対の取付脚部３２，３３と取付基部３５との間に少なくとも２枚以上の平滑な金属板材３６を介装してこれらをピン３７によって軸着するとともに、前記金属板材３６とともに該軸部を加締めてなるイヤリングであって、前記取付基部３５の板面には前記金属板材３６よりも大きい面積の凹部３８が形成されているイヤリングを提案した。
【０００５】
また、前記一対の取付脚部３２，３３と取付基部３５との間に介在させる平滑な金属板材３６が１枚であってもよいことを見出し、実用新案登録第３１３９６５９号公報（特許文献３）も提案している。
【０００６】
さらに、前記取付基部を前記金属板材の面積よりも細い幅に形成し、一方の主装飾体と他方の挟着部材とにそれぞれ形成された取付脚部と取付基部とが相対的に回動する際、前記金属板材にかかる負荷が前記取付基部の幅方向の端縁との係合部分にかかるようにしたイヤリングを特開２０１１−０７８４６０号公報（特許文献４）において提案している。
【先行技術文献】
【特許文献】
【０００７】
【特許文献１】特開平１０−２７６８１０号公報
【特許文献２】実用新案登録第３１３０９９３号公報
【特許文献３】実用新案登録第３１３９６５９号公報
【特許文献４】特開２０１１−０７８４６０号公報
【発明の概要】
【発明が解決しようとする課題】
【０００８】
上述のように、実用新案登録第３１３０９９３号公報（特許文献２）および実用新案登録第３１３９６５９号公報（特許文献３）、特開２０１１−０７８４６０号公報（特許文献４）においては、前記一対の取付脚部と取付基部との間に１枚もしくは２枚以上の平滑な金属板材を介装してこれらを軸着するとともに、前記金属板材とともに該軸部を加締めてなるイヤリングが提案されている。
しかしながら、平滑な金属板材を１枚以上とすることによって挟着力が極めて長期間にわたって保持されるというメリットはあるものの、この種の製品の弱点であった挟着力の持続に関する問題点を根本的に解消することができないという問題があった。
【０００９】
この発明は従来の装身具の挟着構造の前記欠点を改良するものであって、一対の取付脚部と取付基部との間に３枚以上の平滑な金属板材を介装し、前記一対の取付脚部の輪郭内に収容される面積のものを使用するとともに、一対の取付脚部と取付基部に接する両端の金属板材をそれぞれ取付脚部と取付基部に強固に結合させ、一方の主装飾体と他方の挟着部材とにそれぞれ形成された取付脚部と取付基部とが相対的に回動する際、前記３枚以上の各金属板材の係合面に負荷がかかって充分な挟着力が得られるとともに、長い期間の使用に耐えられる装身具の挟着構造を提供しようとするものである。
【課題を解決するための手段】
【００１０】
すなわちこの発明の装身具の挟着構造は、一方の主装飾体と他方の挟着部材とに一対の取付脚部と取付基部とを形成するとともに、前記一対の取付脚部と取付基部との間に３枚以上の金属板材を介装してこれらを軸着するとともに、前記金属板材とともに該軸部を加締めてなる装身具の挟着構造であって、当該加締めの際に前記取付脚部と取付基部とに接する前記３枚以上の金属板材の両側のものは前記取付脚部と取付基部に強固に係合しており、また中間の金属板材はフリーの状態であって両側の金属板材とバネ性をもって押し合うように接合しており、一方の主装飾体と他方の挟着部材とにそれぞれ形成された取付脚部と取付基部とが相対的に回動する際、前記各金属板材の接合面に負荷がかかるようにしたことを特徴とするものである。
【００１１】
この発明の装身具の挟着構造において、前記金属板材は、前記軸部を加締める際に変形する力を受け、したがって前記各金属板材の接合面は不均一な係合部分を備えており、接合時に力が分散されて前記バネ性が長持ちするようにしたことをも特徴とするものである。
【００１２】
この発明の装身具の挟着構造において、前記金属板材は、その厚さを０．０５〜０．２５ｍｍの範囲のものとしたことをも特徴とするものである。
【発明の効果】
【００１３】
以上のようにこの発明においては、前記取付脚部と取付基部との間に３枚以上の金属板材を介装するとともに、一対の取付脚部と取付基部に接する両端の金属板材をそれぞれ取付脚部と取付基部に強固に結合させ、一方の主装飾体と他方の挟着部材とにそれぞれ形成された取付脚部と取付基部とが相対的に回動する際、前記３枚以上の金属板材の両側のものは前記取付脚部と取付基部に強固に係合しており、また中間の金属板材はフリーの状態であって両側の金属板材とバネ性をもって押し合うように接合して当該接合面に負荷がかかるようにしたものである。
【００１４】
そうすることによって、意外にも挟着力が大幅に向上し、しかもその挟着力が極めて長期間にわたって保持されるという顕著な効果を奏することが可能となり、この種の製品の弱点であった挟着力の持続に関する問題点を根本的に解消することに成功したのである。
【００１５】
この発明における装身具の挟着構造が、なぜ耳たぶへの挟着力が従来に比して飛躍的に高まり、しかもその挟着力が長期間一定に保持されることとなるのかは詳らかではないが、前記一対の取付脚部と取付基部とを軸着する際に、前記一対の取付脚部と取付基部に接する両端の金属板材はそれぞれ取付脚部と取付基部に噛み合って（食い込んで）強固に結合するものと考えられる。したがって、互いに結合した金属板材と取付脚部、金属板材と取付基部との間では回動操作が行われなくなる。
そのため、一方の主装飾体と他方の挟着部材とにそれぞれ形成された取付脚部と取付基部とが相対的に回動する際、前記中間の金属板材がフリーの状態で各金属板材の接合面に負荷がかかるようになっている。
このように、前記一対の取付脚部と取付基部に接する両端の金属板材の無用な挙動をなくしたことにより、前記３枚以上の各金属板材の係合面にのみ負荷がかかるようになり、特に前記中間の金属板材との接合面が不均一となってバネ性が維持されるため、挟着力が長期間一定に保持されるという顕著な効果を奏することができるようになったものと考えられる。
ちなみに、従来の単にワッシャを介在させた装身具の挟着構造では、数十回〜数百回くり返して開閉操作すると挟着力の低下が見られたのに対し、この発明における装身具の挟着構造ではそれ以上の開閉操作でも挟着力の低下がまったく見られず、挟着力自体も従来のワッシャ型の装身具の挟着構造よりも格段に優れていたのである。
【図面の簡単な説明】
【００１６】
【図１】この発明の装身具の挟着構造の１実施例を示す側面図である。
【図２】両側の挟着部材を開いた状態の斜視図である。
【図３】軸着部分の分解状態の断面図である。
【図４】それを組み付けた状態の断面図である。
【図５】軸着部分の概略拡大図である。
【図６】それを開いた状態の概略拡大図である。
【図７】装身具の挟着構造の従来例を示す概略図である。
【図８】装身具の挟着構造の別の従来例を示す概略図である。
【発明を実施するための形態】
【００１７】
以下、この発明の装身具の挟着構造をイヤリングに適用した場合の実施の形態を図面に基いてより詳しく説明する。
図１ないし図６に示す実施例において、１は主装飾体であり、２は耳たぶ挟着部としての副装飾体であって、その全体形状はほぼ同じ円弧状で、組み付けた状態ではリング状をなし、この例では前面側にダイヤモンド等からなる宝石１３が取り付けてある。もちろん、両者はいずれの側を耳たぶの表側に向けて装着してもよい。なお素材としてはともに金（Ｋ−１８等）やプラチナ、銀等が使用可能である。
前記主装飾体１の連結部分には一対の取付脚部３，４が一体に備えられ、これと対向して副装飾体２の連結部分には前記取付脚部３，４間に嵌り合う取付基部５が一体に形成されている。
【００１８】
そして、これらに開けられた貫通孔６，７にピン８を挿通し、この部位を加締めることとなるが、この際、取付脚部３，４と取付基部５との間に、厚さ０．０５〜０．２５ｍｍ、好ましくは厚さ０．１５ｍｍのステンレス製等の、クッション性のある３枚以上の金属板材９を介して加締めたものである。
前記金属板材９の厚さを０．０５〜０．２５ｍｍの範囲のものとした理由は、０．０５ｍｍ以下の場合にその弾性が生かせなくなってしまうためである。また０．２５ｍｍ以上の場合には、金属板材９そのものの弾性がなくなってしまうためである。
金属板材９は３枚以上であればよいが、３枚であっても経済性や組み付けの作業性等には問題がなく、挟着力の持続性を勘案すれば３枚とすることが望ましい。
なお、符号１０，１１は主装飾体１および副装飾体２の端面に形成した耳当部である。
【００１９】
この実施例においては、前記金属板材９の面積は、図５および図６に示すように、前記一対の取付脚部３，４と取付基部５の輪郭内に収容される広さに形成されており、しかも一対の取付脚部３，４と取付基部５に接する両端の金属板材９をそれぞれ取付脚部３，４と取付基部５に強固に結合させてある。もちろん、前記金属板材９の面積が前記一対の取付脚部３，４と取付基部５の輪郭内に収容される広さを越えても、取付脚部３，４と取付基部５とに強固に結合できれば何ら問題はない。
このような結合方法としては、軸部を構成するピン８部分を加締める際に両側の硬質である金属板材９がそれより軟質素材の使われている取付脚部３，４と取付基部５に食い込むようにすることができる。また、両側の金属板材９の取付脚部３，４と取付基部５に接する面を粗面化したり、両側の金属板材９の外周面等に突起やバリを形成しておくこともできる。
【００２０】
また、前記金属板材９が円形の場合であっても、打ち抜き等の際に真円になることはほとんどなく、その変形によって金属板材９をそれぞれ取付脚部３，４と取付基部５に強固に結合させ、かつ取付脚部３，４と取付基部５とが相対的に回動する際に一緒に回ってしまうことが防止できる。もちろん、金属板材９が四角等の多角形の場合には供廻り（ともまわり）を確実に防止することができる。
そして、一方の主装飾体１と他方の挟着部材２とにそれぞれ形成された取付脚部３，４と取付基部５とが相対的に回動する際、前記３枚以上の各金属板材９の係合面に重点的に負荷がかかるようになっている。
【００２１】
なお図示はしないが、前記３枚以上の金属板材９は、前記軸部を構成するピン８部分を加締めた際に、自動的に軸周辺部分が内側に押し込まれるように変形する。
そして前記各金属板材９の係合面の接触による負荷と、このような変形に応じて不均一となった各金属板材９の係合面にかかる負荷とがあいまってバネ性が向上し、挟着力が長期間一定に保持されることとなるものと考えられる。
【００２２】
ちなみに、従来の単にワッシャを介在させた装身具の挟着構造では、数十回〜数百回くり返して開閉操作すると挟着力の低下が見られたのに対し、この実施例における装身具の挟着構造ではそれ以上の開閉操作でも挟着力の低下がまったく見られず、挟着力自体も従来のワッシャ型の装身具の挟着構造よりも格段に優れていたのである。
【産業上の利用可能性】
【００２３】
この発明は以上の通り、一方の主装飾体と他方の挟着部材とにそれぞれ形成された取付脚部と取付基部とが相対的に回動する際、前記中間の金属板材がフリーな状態となって各金属板材の係合面にかかる負荷がばらつくこととなってバネ性が向上し、挟着力が長期間一定に保持されるようにしたものである。
したがって、図示したような円弧状の挟着部材を用いた場合のみならず、その他のデザインや、ピアス用のピンを設けたイヤリングの挟着構造、フリーサイズの指輪、ブレスレット等にも適用可能であることはいうまでもない。
【符号の説明】
【００２４】
１  主装飾体
２  副装飾体
３，４  取付脚部
５  取付基部
６，７  貫通孔
８  ピン
９  金属板材
１０，１１  耳当部
１３  宝石
【図１】
2017121382.tif 000003
【図２】
2017121382.tif 000004
【図３】
2017121382.tif 000005
【図４】
2017121382.tif 000006
【図５】
2017121382.tif 000007
【図６】
2017121382.tif 000008
【図７】
2017121382.tif 000009
【図８】
2017121382.tif 000010
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
一方の主装飾体と他方の挟着部材とに一対の取付脚部と取付基部とを形成するとともに、
前記一対の取付脚部と取付基部との間に３枚以上のバネ性を備えた金属板材を介装してこれらを軸着し、
前記金属板材とともに該軸部を加締めてなる装身具の挟着構造であって、
当該加締めの際に前記取付脚部と取付基部とに接する前記３枚以上の金属板材の両側のものは前記取付脚部と取付基部に強固に係合しており、
また中間の金属板材はフリーの状態であって両側の金属板材と押し合うように接合しており、
一方の主装飾体と他方の挟着部材とにそれぞれ形成された取付脚部と取付基部とが相対的に回動する際、前記各金属板材の接合面に負荷がかかるようにしたことを特徴とする装身具の挟着構造。
【請求項２】
前記金属板材は、前記軸部を加締める際に変形する力を受け、したがって前記各金属板材の接合面は不均一な係合部分を備えており、接合時に力が分散されて前記バネ性が長持ちするようにしたことを特徴とする請求項１記載の装身具の挟着構造。
【請求項３】
前記金属板材は、その厚さを０．０５〜０．２５ｍｍの範囲のものとしたことを特徴とする請求項１または２記載の装身具の挟着構造。
【手続補正２】
【補正対象書類名】明細書
【補正対象項目名】全文
【補正方法】変更
【補正の内容】
【発明の詳細な説明】
【技術分野】
【０００１】
この発明はイヤリングや指輪、ブレスレット等に適用される装身具の挟着構造に関するものである。
【背景技術】
【０００２】
本発明者は、従来から新規な装身具の挟着構造を提案してきた。
先ず第1に、特開平１０−２７６８１０号公報（特許文献１参照）において、図７に示すように一対の取付脚部２２，２３を備えた主装飾体２１と、一対の取付脚部２２，２３間に納まる取付基部２５が形成された挟着部材２４とを備え、取付脚部２２，２３と取付基部２５との間にワッシャ２６を介在させた上、これらをピン２７によって貫通させ、かつ当該部位を加締めることによって両者を閉じた際に挟着力を付与するイヤリングを提案した。
【０００３】
上述のワッシャ状の板材を介在させたイヤリングにおいては、耳たぶに対しては両者の摩擦によってそれ程大きな挟着力を発揮せずに装着することができ、またこの両者の開閉を繰り返すことによって接触し合う取付脚部と取付基部とが接触摩擦により摩耗したり変形することもある程度防ぐことができるものの、使用中に挟着力が低下しやすいという問題はいまだ残されたままである。
【０００４】
そこで本発明者は、実用新案登録第３１３０９９３号公報（特許文献２）において、図８に示すように一方の主装飾体３１と他方の挟着部材３４とに一対の取付脚部３２，３３と取付基部３５とを形成するとともに、前記一対の取付脚部３２，３３と取付基部３５との間に少なくとも２枚以上の平滑な金属板材３６を介装してこれらをピン３７によって軸着するとともに、前記金属板材３６とともに該軸部を加締めてなるイヤリングであって、前記取付基部３５の板面には前記金属板材３６よりも大きい面積の凹部３８が形成されているイヤリングを提案した。
【０００５】
また、前記一対の取付脚部３２，３３と取付基部３５との間に介在させる平滑な金属板材３６が１枚であってもよいことを見出し、実用新案登録第３１３９６５９号公報（特許文献３）も提案している。
【０００６】
さらに、前記取付基部を前記金属板材の面積よりも細い幅に形成し、一方の主装飾体と他方の挟着部材とにそれぞれ形成された取付脚部と取付基部とが相対的に回動する際、前記金属板材にかかる負荷が前記取付基部の幅方向の端縁との係合部分にかかるようにしたイヤリングを特開２０１１−０７８４６０号公報（特許文献４）において提案している。
【先行技術文献】
【特許文献】
【０００７】
【特許文献１】特開平１０−２７６８１０号公報
【特許文献２】実用新案登録第３１３０９９３号公報
【特許文献３】実用新案登録第３１３９６５９号公報
【特許文献４】特開２０１１−０７８４６０号公報
【発明の概要】
【発明が解決しようとする課題】
【０００８】
上述のように、実用新案登録第３１３０９９３号公報（特許文献２）および実用新案登録第３１３９６５９号公報（特許文献３）、特開２０１１−０７８４６０号公報（特許文献４）においては、前記一対の取付脚部と取付基部との間に１枚もしくは２枚以上の平滑な金属板材を介装してこれらを軸着するとともに、前記金属板材とともに該軸部を加締めてなるイヤリングが提案されている。
しかしながら、平滑な金属板材を１枚以上とすることによって挟着力が極めて長期間にわたって保持されるというメリットはあるものの、この種の製品の弱点であった挟着力の持続に関する問題点を根本的に解消することができないという問題があった。
【０００９】
この発明は従来の装身具の挟着構造の前記欠点を改良するものであって、一対の取付脚部と取付基部との間に３枚以上の平滑な金属板材を介装し、前記一対の取付脚部の輪郭内に収容される面積のものを使用するとともに、一対の取付脚部と取付基部に接する両端の金属板材をそれぞれ取付脚部と取付基部に強固に結合させ、一方の主装飾体と他方の挟着部材とにそれぞれ形成された取付脚部と取付基部とが相対的に回動する際、前記３枚以上の各金属板材の係合面に負荷がかかって充分な挟着力が得られるとともに、長い期間の使用に耐えられる装身具の挟着構造を提供しようとするものである。
【課題を解決するための手段】
【００１０】
すなわちこの発明の装身具の挟着構造は、一方の主装飾体と他方の挟着部材とに一対の取付脚部と取付基部とを形成するとともに、前記一対の取付脚部と取付基部との間に３枚以上のバネ性を備えた金属板材を介装してこれらを軸着し、前記金属板材とともに該軸部を加締めてなる装身具の挟着構造であって、当該加締めの際に前記取付脚部と取付基部とに接する前記３枚以上の金属板材の両側のものは前記取付脚部と取付基部に強固に係合しており、また中間の金属板材はフリーの状態であって両側の金属板材と押し合うように接合しており、一方の主装飾体と他方の挟着部材とにそれぞれ形成された取付脚部と取付基部とが相対的に回動する際、前記各金属板材の接合面に負荷がかかるようにしたことを特徴とするものである。
【００１１】
この発明の装身具の挟着構造において、前記金属板材は、前記軸部を加締める際に変形する力を受け、したがって前記各金属板材の接合面は不均一な係合部分を備えており、接合時に力が分散されて前記バネ性が長持ちするようにしたことをも特徴とするものである。
【００１２】
この発明の装身具の挟着構造において、前記金属板材は、その厚さを０．０５〜０．２５ｍｍの範囲のものとしたことをも特徴とするものである。
【発明の効果】
【００１３】
以上のようにこの発明においては、前記取付脚部と取付基部との間に３枚以上のバネ性を備えた金属板材を介装するとともに、一対の取付脚部と取付基部に接する両端の金属板材をそれぞれ取付脚部と取付基部に強固に結合させ、一方の主装飾体と他方の挟着部材とにそれぞれ形成された取付脚部と取付基部とが相対的に回動する際、前記３枚以上の金属板材の両側のものは前記取付脚部と取付基部に強固に係合しており、また中間の金属板材はフリーの状態であって両側の金属板材と押し合うように接合して当該接合面に負荷がかかるようにしたものである。
【００１４】
そうすることによって、意外にも挟着力が大幅に向上し、しかもその挟着力が極めて長期間にわたって保持されるという顕著な効果を奏することが可能となり、この種の製品の弱点であった挟着力の持続に関する問題点を根本的に解消することに成功したのである。
【００１５】
この発明における装身具の挟着構造が、なぜ耳たぶへの挟着力が従来に比して飛躍的に高まり、しかもその挟着力が長期間一定に保持されることとなるのかは詳らかではないが、前記一対の取付脚部と取付基部とを軸着する際に、前記一対の取付脚部と取付基部に接する両端の金属板材はそれぞれ取付脚部と取付基部に噛み合って（食い込んで）強固に結合するものと考えられる。したがって、互いに結合した金属板材と取付脚部、金属板材と取付基部との間では回動操作が行われなくなる。
そのため、一方の主装飾体と他方の挟着部材とにそれぞれ形成された取付脚部と取付基部とが相対的に回動する際、前記中間の金属板材がフリーの状態で各金属板材の接合面に負荷がかかるようになっている。
このように、前記一対の取付脚部と取付基部に接する両端の金属板材の無用な挙動をなくしたことにより、前記３枚以上の各金属板材の係合面にのみ負荷がかかるようになり、特に前記中間の金属板材との接合面が不均一となってバネ性が維持されるため、挟着力が長期間一定に保持されるという顕著な効果を奏することができるようになったものと考えられる。
ちなみに、従来の単にワッシャを介在させた装身具の挟着構造では、数十回〜数百回くり返して開閉操作すると挟着力の低下が見られたのに対し、この発明における装身具の挟着構造ではそれ以上の開閉操作でも挟着力の低下がまったく見られず、挟着力自体も従来のワッシャ型の装身具の挟着構造よりも格段に優れていたのである。
【図面の簡単な説明】
【００１６】
【図１】この発明の装身具の挟着構造の１実施例を示す側面図である。
【図２】両側の挟着部材を開いた状態の斜視図である。
【図３】軸着部分の分解状態の断面図である。
【図４】それを組み付けた状態の断面図である。
【図５】軸着部分の概略拡大図である。
【図６】それを開いた状態の概略拡大図である。
【図７】装身具の挟着構造の従来例を示す概略図である。
【図８】装身具の挟着構造の別の従来例を示す概略図である。
【発明を実施するための形態】
【００１７】
以下、この発明の装身具の挟着構造をイヤリングに適用した場合の実施の形態を図面に基いてより詳しく説明する。
図１ないし図６に示す実施例において、１は主装飾体であり、２は耳たぶ挟着部としての副装飾体であって、その全体形状はほぼ同じ円弧状で、組み付けた状態ではリング状をなし、この例では前面側にダイヤモンド等からなる宝石１３が取り付けてある。もちろん、両者はいずれの側を耳たぶの表側に向けて装着してもよい。なお素材としてはともに金（Ｋ−１８等）やプラチナ、銀等が使用可能である。
前記主装飾体１の連結部分には一対の取付脚部３，４が一体に備えられ、これと対向して副装飾体２の連結部分には前記取付脚部３，４間に嵌り合う取付基部５が一体に形成されている。
【００１８】
そして、これらに開けられた貫通孔６，７にピン８を挿通し、この部位を加締めることとなるが、この際、取付脚部３，４と取付基部５との間に、厚さ０．０５〜０．２５ｍｍ、好ましくは厚さ０．１５ｍｍのステンレス製等の、クッション性のある３枚以上の金属板材９を介して加締めたものである。
前記金属板材９の厚さを０．０５〜０．２５ｍｍの範囲のものとした理由は、０．０５ｍｍ以下の場合にその弾性が生かせなくなってしまうためである。また０．２５ｍｍ以上の場合には、金属板材９そのものの弾性がなくなってしまうためである。
金属板材９は３枚以上であればよいが、３枚であっても経済性や組み付けの作業性等には問題がなく、挟着力の持続性を勘案すれば３枚とすることが望ましい。
なお、符号１０，１１は主装飾体１および副装飾体２の端面に形成した耳当部である。
【００１９】
この実施例においては、前記金属板材９の面積は、図５および図６に示すように、前記一対の取付脚部３，４と取付基部５の輪郭内に収容される広さに形成されており、しかも一対の取付脚部３，４と取付基部５に接する両端の金属板材９をそれぞれ取付脚部３，４と取付基部５に強固に結合させてある。もちろん、前記金属板材９の面積が前記一対の取付脚部３，４と取付基部５の輪郭内に収容される広さを越えても、取付脚部３，４と取付基部５とに強固に結合できれば何ら問題はない。
このような結合方法としては、軸部を構成するピン８部分を加締める際に両側の硬質である金属板材９がそれより軟質素材の使われている取付脚部３，４と取付基部５に食い込むようにすることができる。また、両側の金属板材９の取付脚部３，４と取付基部５に接する面を粗面化したり、両側の金属板材９の外周面等に突起やバリを形成しておくこともできる。
【００２０】
また、前記金属板材９が円形の場合であっても、打ち抜き等の際に真円になることはほとんどなく、その変形によって金属板材９をそれぞれ取付脚部３，４と取付基部５に強固に結合させ、かつ取付脚部３，４と取付基部５とが相対的に回動する際に一緒に回ってしまうことが防止できる。もちろん、金属板材９が四角等の多角形の場合には供廻り（ともまわり）を確実に防止することができる。
そして、一方の主装飾体１と他方の挟着部材２とにそれぞれ形成された取付脚部３，４と取付基部５とが相対的に回動する際、前記３枚以上の各金属板材９の係合面に重点的に負荷がかかるようになっている。
【００２１】
なお図示はしないが、前記３枚以上の金属板材９は、前記軸部を構成するピン８部分を加締めた際に、自動的に軸周辺部分が内側に押し込まれるように変形する。
そして前記各金属板材９の係合面の接触による負荷と、このような変形に応じて不均一となった各金属板材９の係合面にかかる負荷とがあいまってバネ性が向上し、挟着力が長期間一定に保持されることとなるものと考えられる。
【００２２】
ちなみに、従来の単にワッシャを介在させた装身具の挟着構造では、数十回〜数百回くり返して開閉操作すると挟着力の低下が見られたのに対し、この実施例における装身具の挟着構造ではそれ以上の開閉操作でも挟着力の低下がまったく見られず、挟着力自体も従来のワッシャ型の装身具の挟着構造よりも格段に優れていたのである。
【産業上の利用可能性】
【００２３】
この発明は以上の通り、一方の主装飾体と他方の挟着部材とにそれぞれ形成された取付脚部と取付基部とが相対的に回動する際、前記中間の金属板材がフリーな状態となって各金属板材の係合面にかかる負荷がばらつくこととなってバネ性が向上し、挟着力が長期間一定に保持されるようにしたものである。
したがって、図示したような円弧状の挟着部材を用いた場合のみならず、その他のデザインや、ピアス用のピンを設けたイヤリングの挟着構造、フリーサイズの指輪、ブレスレット等にも適用可能であることはいうまでもない。
【符号の説明】
【００２４】
１  主装飾体
２  副装飾体
３，４  取付脚部
５  取付基部
６，７貫通孔
８  ピン
９  金属板材
１０，１１  耳当部
１３  宝石
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
一方の主装飾体と他方の挟着部材とに一対の取付脚部と取付基部とを形成するとともに、
前記一対の取付脚部と取付基部との間に３枚以上のバネ性を備えた金属板材を介装してこれらを軸着し、
前記金属板材とともに該軸部を加締めてなる装身具の挟着構造であって、
当該加締めの際に前記取付脚部と取付基部とに接する前記３枚以上の金属板材の両側のものは前記取付脚部と取付基部に強固に係合しており、
また中間の金属板材はフリーの状態であって両側の金属板材とほぼ全面で押し合うように接合しており、
一方の主装飾体と他方の挟着部材とにそれぞれ形成された取付脚部と取付基部とが相対的に回動する際、前記各金属板材のほぼ全面の接合面に負荷がかかるようにしたことを特徴とする装身具の挟着構造。
【請求項２】
前記金属板材は、前記軸部を加締める際に変形する力を受け、したがって前記各金属板材の接合面は不均一な係合部分を備えており、接合時に力が分散されて前記バネ性が長持ちするようにしたことを特徴とする請求項１記載の装身具の挟着構造。
【請求項３】
前記金属板材は、その厚さを０．０５〜０．２５ｍｍの範囲のものとしたことを特徴とする請求項１または２記載の装身具の挟着構造。
【手続補正２】
【補正対象書類名】明細書
【補正対象項目名】全文
【補正方法】変更
【補正の内容】
【発明の詳細な説明】
【技術分野】
【０００１】
この発明はイヤリングや指輪、ブレスレット等に適用される装身具の挟着構造に関するものである。
【背景技術】
【０００２】
本発明者は、従来から新規な装身具の挟着構造を提案してきた。
先ず第1に、特開平１０−２７６８１０号公報（特許文献１参照）において、図７に示すように一対の取付脚部２２，２３を備えた主装飾体２１と、一対の取付脚部２２，２３間に納まる取付基部２５が形成された挟着部材２４とを備え、取付脚部２２，２３と取付基部２５との間にワッシャ２６を介在させた上、これらをピン２７によって貫通させ、かつ当該部位を加締めることによって両者を閉じた際に挟着力を付与するイヤリングを提案した。
【０００３】
上述のワッシャ状の板材を介在させたイヤリングにおいては、耳たぶに対しては両者の摩擦によってそれ程大きな挟着力を発揮せずに装着することができ、またこの両者の開閉を繰り返すことによって接触し合う取付脚部と取付基部とが接触摩擦により摩耗したり変形することもある程度防ぐことができるものの、使用中に挟着力が低下しやすいという問題はいまだ残されたままである。
【０００４】
そこで本発明者は、実用新案登録第３１３０９９３号公報（特許文献２）において、図８に示すように一方の主装飾体３１と他方の挟着部材３４とに一対の取付脚部３２，３３と取付基部３５とを形成するとともに、前記一対の取付脚部３２，３３と取付基部３５との間に少なくとも２枚以上の平滑な金属板材３６を介装してこれらをピン３７によって軸着するとともに、前記金属板材３６とともに該軸部を加締めてなるイヤリングであって、前記取付基部３５の板面には前記金属板材３６よりも大きい面積の凹部３８が形成されているイヤリングを提案した。
【０００５】
また、前記一対の取付脚部３２，３３と取付基部３５との間に介在させる平滑な金属板材３６が１枚であってもよいことを見出し、実用新案登録第３１３９６５９号公報（特許文献３）も提案している。
【０００６】
さらに、前記取付基部を前記金属板材の面積よりも細い幅に形成し、一方の主装飾体と他方の挟着部材とにそれぞれ形成された取付脚部と取付基部とが相対的に回動する際、前記金属板材にかかる負荷が前記取付基部の幅方向の端縁との係合部分にかかるようにしたイヤリングを特開２０１１−０７８４６０号公報（特許文献４）において提案している。
【先行技術文献】
【特許文献】
【０００７】
【特許文献１】特開平１０−２７６８１０号公報
【特許文献２】実用新案登録第３１３０９９３号公報
【特許文献３】実用新案登録第３１３９６５９号公報
【特許文献４】特開２０１１−０７８４６０号公報
【発明の概要】
【発明が解決しようとする課題】
【０００８】
上述のように、実用新案登録第３１３０９９３号公報（特許文献２）および実用新案登録第３１３９６５９号公報（特許文献３）、特開２０１１−０７８４６０号公報（特許文献４）においては、前記一対の取付脚部と取付基部との間に１枚もしくは２枚以上の平滑な金属板材を介装してこれらを軸着するとともに、前記金属板材とともに該軸部を加締めてなるイヤリングが提案されている。
しかしながら、平滑な金属板材を１枚以上とすることによって挟着力が極めて長期間にわたって保持されるというメリットはあるものの、この種の製品の弱点であった挟着力の持続に関する問題点を根本的に解消することができないという問題があった。
【０００９】
この発明は従来の装身具の挟着構造の前記欠点を改良するものであって、一対の取付脚部と取付基部との間に３枚以上の平滑な金属板材を介装し、前記一対の取付脚部の輪郭内に収容される面積のものを使用するとともに、一対の取付脚部と取付基部に接する両端の金属板材をそれぞれ取付脚部と取付基部に強固に結合させ、一方の主装飾体と他方の挟着部材とにそれぞれ形成された取付脚部と取付基部とが相対的に回動する際、前記３枚以上の各金属板材の係合面に負荷がかかって充分な挟着力が得られるとともに、長い期間の使用に耐えられる装身具の挟着構造を提供しようとするものである。
【課題を解決するための手段】
【００１０】
すなわちこの発明の装身具の挟着構造は、一方の主装飾体と他方の挟着部材とに一対の取付脚部と取付基部とを形成するとともに、前記一対の取付脚部と取付基部との間に３枚以上のバネ性を備えた金属板材を介装してこれらを軸着し、前記金属板材とともに該軸部を加締めてなる装身具の挟着構造であって、当該加締めの際に前記取付脚部と取付基部とに接する前記３枚以上の金属板材の両側のものは前記取付脚部と取付基部に強固に係合しており、また中間の金属板材はフリーの状態であって両側の金属板材とほぼ全面で押し合うように接合しており、一方の主装飾体と他方の挟着部材とにそれぞれ形成された取付脚部と取付基部とが相対的に回動する際、前記各金属板材のほぼ全面の接合面に負荷がかかるようにしたことを特徴とするものである。
【００１１】
この発明の装身具の挟着構造において、前記金属板材は、前記軸部を加締める際に変形する力を受け、したがって前記各金属板材の接合面は不均一な係合部分を備えており、接合時に力が分散されて前記バネ性が長持ちするようにしたことをも特徴とするものである。
【００１２】
この発明の装身具の挟着構造において、前記金属板材は、その厚さを０．０５〜０．２５ｍｍの範囲のものとしたことをも特徴とするものである。
【発明の効果】
【００１３】
以上のようにこの発明においては、前記取付脚部と取付基部との間に３枚以上のバネ性を備えた金属板材を介装するとともに、一対の取付脚部と取付基部に接する両端の金属板材をそれぞれ取付脚部と取付基部に強固に結合させ、一方の主装飾体と他方の挟着部材とにそれぞれ形成された取付脚部と取付基部とが相対的に回動する際、前記３枚以上の金属板材の両側のものは前記取付脚部と取付基部に強固に係合しており、また中間の金属板材はフリーの状態であって両側の金属板材と押し合うように接合して当該接合面に負荷がかかるようにしたものである。
【００１４】
そうすることによって、意外にも挟着力が大幅に向上し、しかもその挟着力が極めて長期間にわたって保持されるという顕著な効果を奏することが可能となり、この種の製品の弱点であった挟着力の持続に関する問題点を根本的に解消することに成功したのである。
【００１５】
この発明における装身具の挟着構造が、なぜ耳たぶへの挟着力が従来に比して飛躍的に高まり、しかもその挟着力が長期間一定に保持されることとなるのかは詳らかではないが、前記一対の取付脚部と取付基部とを軸着する際に、前記一対の取付脚部と取付基部に接する両端の金属板材はそれぞれ取付脚部と取付基部に噛み合って（食い込んで）強固に結合するものと考えられる。したがって、互いに結合した金属板材と取付脚部、金属板材と取付基部との間では回動操作が行われなくなる。
そのため、一方の主装飾体と他方の挟着部材とにそれぞれ形成された取付脚部と取付基部とが相対的に回動する際、前記中間の金属板材がフリーの状態で各金属板材のほぼ全面の接合面に負荷がかかるようになっている。
このように、前記一対の取付脚部と取付基部に接する両端の金属板材の無用な挙動をなくしたことにより、前記３枚以上の各金属板材の係合面にのみ負荷がかかるようになり、特に前記中間の金属板材との接合面が不均一となってバネ性が維持されるため、挟着力が長期間一定に保持されるという顕著な効果を奏することができるようになったものと考えられる。
ちなみに、従来の単にワッシャを介在させた装身具の挟着構造では、数十回〜数百回くり返して開閉操作すると挟着力の低下が見られたのに対し、この発明における装身具の挟着構造ではそれ以上の開閉操作でも挟着力の低下がまったく見られず、挟着力自体も従来のワッシャ型の装身具の挟着構造よりも格段に優れていたのである。
【図面の簡単な説明】
【００１６】
【図１】この発明の装身具の挟着構造の１実施例を示す側面図である。
【図２】両側の挟着部材を開いた状態の斜視図である。
【図３】軸着部分の分解状態の断面図である。
【図４】それを組み付けた状態の断面図である。
【図５】軸着部分の概略拡大図である。
【図６】それを開いた状態の概略拡大図である。
【図７】装身具の挟着構造の従来例を示す概略図である。
【図８】装身具の挟着構造の別の従来例を示す概略図である。
【発明を実施するための形態】
【００１７】
以下、この発明の装身具の挟着構造をイヤリングに適用した場合の実施の形態を図面に基いてより詳しく説明する。
図１ないし図６に示す実施例において、１は主装飾体であり、２は耳たぶ挟着部としての副装飾体であって、その全体形状はほぼ同じ円弧状で、組み付けた状態ではリング状をなし、この例では前面側にダイヤモンド等からなる宝石１３が取り付けてある。もちろん、両者はいずれの側を耳たぶの表側に向けて装着してもよい。なお素材としてはともに金（Ｋ−１８等）やプラチナ、銀等が使用可能である。
前記主装飾体１の連結部分には一対の取付脚部３，４が一体に備えられ、これと対向して副装飾体２の連結部分には前記取付脚部３，４間に嵌り合う取付基部５が一体に形成されている。
【００１８】
そして、これらに開けられた貫通孔６，７にピン８を挿通し、この部位を加締めることとなるが、この際、取付脚部３，４と取付基部５との間に、厚さ０．０５〜０．２５ｍｍ、好ましくは厚さ０．１５ｍｍのステンレス製等の、クッション性のある３枚以上の金属板材９を介して加締めたものである。
前記金属板材９の厚さを０．０５〜０．２５ｍｍの範囲のものとした理由は、０．０５ｍｍ以下の場合にその弾性が生かせなくなってしまうためである。また０．２５ｍｍ以上の場合には、金属板材９そのものの弾性がなくなってしまうためである。
金属板材９は３枚以上であればよいが、３枚であっても経済性や組み付けの作業性等には問題がなく、挟着力の持続性を勘案すれば３枚とすることが望ましい。
なお、符号１０，１１は主装飾体１および副装飾体２の端面に形成した耳当部である。
【００１９】
この実施例においては、前記金属板材９の面積は、図５および図６に示すように、前記一対の取付脚部３，４と取付基部５の輪郭内に収容される広さに形成されており、しかも一対の取付脚部３，４と取付基部５に接する両端の金属板材９をそれぞれ取付脚部３，４と取付基部５に強固に結合させてある。もちろん、前記金属板材９の面積が前記一対の取付脚部３，４と取付基部５の輪郭内に収容される広さを越えても、取付脚部３，４と取付基部５とに強固に結合できれば何ら問題はない。
このような結合方法としては、軸部を構成するピン８部分を加締める際に両側の硬質である金属板材９がそれより軟質素材の使われている取付脚部３，４と取付基部５に食い込むようにすることができる。また、両側の金属板材９の取付脚部３，４と取付基部５に接する面を粗面化したり、両側の金属板材９の外周面等に突起やバリを形成しておくこともできる。
【００２０】
また、前記金属板材９が円形の場合であっても、打ち抜き等の際に真円になることはほとんどなく、その変形によって金属板材９をそれぞれ取付脚部３，４と取付基部５に強固に結合させ、かつ取付脚部３，４と取付基部５とが相対的に回動する際に一緒に回ってしまうことが防止できる。もちろん、金属板材９が四角等の多角形の場合には供廻り（ともまわり）を確実に防止することができる。
そして、一方の主装飾体１と他方の挟着部材２とにそれぞれ形成された取付脚部３，４と取付基部５とが相対的に回動する際、前記３枚以上の各金属板材９の係合面に重点的に負荷がかかるようになっている。
【００２１】
なお図示はしないが、前記３枚以上の金属板材９は、前記軸部を構成するピン８部分を加締めた際に、自動的に軸周辺部分が内側に押し込まれるように変形する。
そして前記各金属板材９の係合面の接触による負荷と、このような変形に応じて不均一となった各金属板材９の係合面にかかる負荷とがあいまってバネ性が向上し、挟着力が長期間一定に保持されることとなるものと考えられる。
【００２２】
ちなみに、従来の単にワッシャを介在させた装身具の挟着構造では、数十回〜数百回くり返して開閉操作すると挟着力の低下が見られたのに対し、この実施例における装身具の挟着構造ではそれ以上の開閉操作でも挟着力の低下がまったく見られず、挟着力自体も従来のワッシャ型の装身具の挟着構造よりも格段に優れていたのである。
【産業上の利用可能性】
【００２３】
この発明は以上の通り、一方の主装飾体と他方の挟着部材とにそれぞれ形成された取付脚部と取付基部とが相対的に回動する際、前記中間の金属板材がフリーな状態となって各金属板材の係合面にかかる負荷がばらつくこととなってバネ性が向上し、挟着力が長期間一定に保持されるようにしたものである。
したがって、図示したような円弧状の挟着部材を用いた場合のみならず、その他のデザインや、ピアス用のピンを設けたイヤリングの挟着構造、フリーサイズの指輪、ブレスレット等にも適用可能であることはいうまでもない。
【符号の説明】
【００２４】
１  主装飾体
２  副装飾体
３，４  取付脚部
５  取付基部
６，７貫通孔
８  ピン
９  金属板材
１０，１１  耳当部
１３  宝石